(57)【特許請求の範囲】
【請求項１】
透明な基板ケースと、前記基板ケースに収容された制御基板とを備え、開放時に痕跡が残るように前記基板ケースを封印可能な遊技機用基板ユニットであって、
前記基板ケースには、前記制御基板の実装面側に、封印に係る情報を記録するための封印情報記録部が配設されており、
前記制御基板の実装面には、第１の型番のＩＣチップと第２の型番のＩＣチップが夫々複数配設されており、
前記封印情報記録部は、前記制御基板の前記実装面側から視認した時に、前記第１の型番のＩＣチップのうちの少なくとも１個、および、前記第２の型番のＩＣチップのうちの少なくとも１個と重なる位置に配設されており、
前記第１の型番のＩＣチップと前記第２の型番のＩＣチップは特定の表示領域に複数の文字で構成される文字情報を上面に備え、
前記封印情報記録部は、透明部と、前記透明部よりも透過度が低く前記文字情報の視認性が低い不透明部を含み、
前記不透明部は前記特定の表示領域における前記複数の文字のうち、１文字分の表示領域より広い領域において、連続して透過度が低くなっている塗りつぶし領域を含み、
前記第１の型番のＩＣチップと前記第２の型番のＩＣチップは、
夫々の少なくとも１つが、前記制御基板の前記実装面側から視認した時に、前記封印情報記録部の前記塗りつぶし領域と部分的に重なって、前記文字情報の一部または全部が隠れる位置に配設されており、
かつ、夫々の少なくとも１つが、前記制御基板の前記実装面側から視認した時に、前記封印情報記録部と重ならない位置に配設されていることを特徴とする遊技機用基板ユニット。
【発明の詳細な説明】
【技術分野】
【０００１】
本発明は、制御基板と、前記制御基板を収容する基板ケースとを備え、遊技機に装着される遊技機用基板ユニットに関する。
【背景技術】
【０００２】
遊技機用の制御基板は、基板ケースに収容されて、基板ユニットとして遊技機に装着される。基板ケースは、制御基板の不正改造の有無を確認するために透明樹脂で構成されて、基板ケースの外側から制御基板を視認可能にしている。また、基板ケースには、基板ケースの開放時に痕跡が残るように封印されており、基板ケースの表面には、当該封印に係る情報を記録する封印情報記録部が設けられている（例えば、特許文献１）。
【０００３】
また、遊技機用の制御基板には、種々の電子部品が実装される。こうした電子部品の表面には、型番や規格等を示す文字情報が表示されており、これらの文字情報を参考に、制御基板に実装された電子部品を把握可能となっている（例えば、特許文献２）。
【先行技術文献】
【特許文献】
【０００４】
【特許文献１】特開２０１８−１７５７５８号公報  段落００５５
【特許文献２】特開２０１９−１８０７６０号公報
【発明の概要】
【発明が解決しようとする課題】
【０００５】
ところで、制御基板を収容する基板ケースは透明樹脂で構成されるが、封印情報記録部は不透明部を含んでおり、制御基板全体が基板ケース外から視認容易というわけでなく、封印情報記録部の付近は、不透明部によって比較的視認し難くなっている。制御基板には、スペースの都合上、封印情報記録部の付近にも電子部品が配設されるため、封印情報記録部付近の電子部品は、文字情報の読取りが困難で、型番や規格等を把握し難くなっている。
【０００６】
本発明はかかる現状に鑑みて為されたものであり、従来構成に比べて制御基板に配設された電子部品の型番や規格等を把握容易な遊技機用基板ユニットの提供を目的とする。
【課題を解決するための手段】
【０００７】
本発明は、透明な基板ケースと、前記基板ケースに収容された制御基板とを備え、開放時に痕跡が残るように前記基板ケースを封印可能な遊技機用基板ユニットであって、前記基板ケースには、前記制御基板の実装面側に、封印に係る情報を記録するための封印情報記録部が配設されており、前記制御基板の実装面には、第１の型番のＩＣチップと第２の型番のＩＣチップが夫々複数配設されており、前記封印情報記録部は、前記制御基板の前記実装面側から視認した時に、前記第１の型番のＩＣチップのうちの少なくとも１個、および、前記第２の型番のＩＣチップのうちの少なくとも１個と重なる位置に配設されており、前記第１の型番のＩＣチップと前記第２の型番のＩＣチップは特定の表示領域に複数の文字で構成される文字情報を上面に備え、前記封印情報記録部は、透明部と、前記透明部よりも透過度が低く前記文字情報の視認性が低い不透明部を含み、前記不透明部は前記特定の表示領域における前記複数の文字のうち、１文字分の表示領域より広い領域において、連続して透過度が低くなっている塗りつぶし領域を含み、前記第１の型番のＩＣチップと前記第２の型番のＩＣチップは、夫々の少なくとも１つが、前記制御基板の前記実装面側から視認した時に、前記封印情報記録部の前記塗りつぶし領域と部分的に重なって、前記文字情報の一部または全部が隠れる位置に配設されており、かつ、夫々の少なくとも１つが、前記制御基板の前記実装面側から視認した時に、前記封印情報記録部と重ならない位置に配設されていることを特徴とする遊技機用基板ユニットである。
【０００８】
かかる構成では、同じ型番のＩＣチップは、文字情報だけでなく、形態も共通しているため、実装面側から視認した時に、文字情報を対比できなくても、形態の同一性に基づいて、型番を同じくするＩＣチップを見つけることができる。本発明では、第１の型番や第２の型番のＩＣチップは、不透明部に文字情報の視認性を阻害されない位置に少なくとも１つ配置されるため、これらの型番のＩＣチップについては、不透明部の塗りつぶし領域によって文字情報を視認困難なものでも、不透明部の塗りつぶし領域に視認性を阻害されない位置に配置された同型のＩＣチップを見つけて文字情報を参照することによって、型番や規格等を推定できる。このように、かかる構成によれば、封印情報記録部の塗りつぶし領域によって型番や規格等を把握困難な電子部品を低減できるため、従来構成に比べて、制御基板に配設された電子部品の把握が容易となる。
【０００９】
また、本発明の別の態様として、透明な基板ケースと、前記基板ケースに収容された制御基板とを備え、開放時に痕跡が残るように前記基板ケースを封印可能な遊技機用基板ユニットであって、前記基板ケースには、前記制御基板の実装面側に、封印に係る情報を記録するための封印情報記録部が配設されており、前記制御基板の実装面には、第１のＩＣチップと第２のＩＣチップが相互に隣り合うように配設されており、前記封印情報記録部は、前記制御基板の前記実装面側から視認した時に、少なくとも前記第１のＩＣチップと重なる位置に配設されており、前記第１のＩＣチップと前記第２のＩＣチップは特定の表示領域に複数の文字で構成される同じ文字情報を上面に備えた同型のＩＣチップであって、前記封印情報記録部は、透明部と、前記透明部よりも透過度が低く前記文字情報の視認性が低い不透明部を含み、前記不透明部は前記特定の表示領域における前記複数の文字のうち、１文字分の表示領域より広い領域において、連続して透過度が低くなっている塗りつぶし領域を含み、  前記第１のＩＣチップは、前記制御基板の前記実装面側から視認した時に、前記封印情報記録部の前記塗りつぶし領域と部分的に重なって、前記文字情報の一部または全部が隠れる位置に配設されており、前記第２のＩＣチップは、前記制御基板の前記実装面側から視認した時に、前記第２のＩＣチップの前記文字情報が前記不透明部と重ならない位置に配設されていることを特徴とする遊技機用基板ユニットが提案される。
【００１０】
かかる構成では、同じ型番の第１のＩＣチップと第２のＩＣチップは、文字情報だけでなく、形態も共通しているため、両者を実装面側から視認した時に、文字情報の同一性を確認できなくても、形態の同一性から、両者が同型であると推定できる。このため、本発明では、第１のＩＣチップの文字情報が不透明部の塗りつぶし領域に隠れていても、隣り合う同型の第２のＩＣチップに表示された文字情報を参照することによって、第１のＩＣチップの型番や規格等を推定できる。このように、本発明によれば、封印情報記録部の不透明部の塗りつぶし領域の裏側に文字情報が隠れていても、第１のＩＣチップを容易に把握できるため、従来構成に比べて、制御基板に配設された電子部品の把握が容易となる。
【図面の簡単な説明】
【００１１】
【図１】本発明の第１実施形態にかかるスロットマシンの正面図である。
【図２】図１のスロットマシンの前面扉が開いた状態での斜視図である。
【図３】スロットマシンの電気的構成を示すブロック図である。
【図４】筐体３の内部構造を示す正面図である。
【図５】基板ユニット６の斜視図である。
【図６】基板ケース１０７及びメイン制御基板６３の分解斜視図である。
【図７】基板ユニット６の右側部拡大断面図である。
【図８】（ａ）は、基板ユニット６の正面図である。（ｂ）は、封印情報記録部１５０の拡大図である。
【図９】メイン制御基板６３の正面図である。
【図１０】（ａ）は、メイン制御基板６３の正面中央部の拡大図である。（ｂ）は、メイン制御基板６３を基板ケース１０７に収容した状態で、（ａ）と同じ部位を、基板ユニット６の正面側から見た図である。
【図１１】（ａ）は図１０（ａ）のＸ部分を配線１７２も含めて示す拡大図である。（ｂ）は図１０（ｂ）のＹ部分を配線１７２も含めて示す拡大図である。
【発明を実施するための形態】
【００１２】
＜第１実施形態＞
本発明の第１実施形態に係る遊技機の一例であるスロットマシン１について、図１〜図１１を参照して説明する。なお、下記実施例において、本発明に係る第１のＩＣチップは、図９において上から二番目に配設された第四型のＩＣチップ１６４ｂ及び第五型のＩＣチップ１６５ｂに夫々相当し、本発明に係る第２のＩＣチップは、図９において一番上に配設された第四型のＩＣチップ１６４ａ及び第五型のＩＣチップ１６５ａに夫々相当する。また、本発明に係る第１の型番のＩＣチップと第２の型番のＩＣチップは、第四型のＩＣチップ１６４と第五型のＩＣチップ１６５に夫々相当する。
【００１３】
（構成）
スロットマシン１の構成の概略について図１、図２を参照して説明する。
【００１４】
この実施形態におけるスロットマシン１は、予め設定された複数の遊技状態のうちのいずれかの遊技状態において、メダルなどの遊技媒体が規定数投入されることを条件とする遊技者の操作に基づいて一回の遊技が実行されるものであって、例えば図１に示すように構成されている。すなわち、このスロットマシン１では、筐体３の前面が前面扉５により開閉自在に閉塞され、この前面扉５のほぼ中央高さの位置に操作板７が配設されると共に、この操作板７の上方に正面板９が配設されている。
【００１５】
そして、この正面板９には横長矩形の表示窓１１が設けられている。また、表示窓１１の内側には、図１、図２に示すように、複数種類の図柄を予め定められた順序で可変表示する左・中・右リール１３Ｌ，１３Ｍ，１３Ｒが配置されている。これら左・中・右リール１３Ｌ，１３Ｍ，１３Ｒには、複数種類の図柄が合計２０個、所定の配列でそれぞれ設けられている。また、各図柄には、０番から１９番までの図柄番号が順に付されている。そして、例えば、図柄番号０番から２０番までの図柄が印刷されたリールテープがリールの周面に貼り付けられて各リール１３Ｌ，１３Ｍ，１３Ｒがそれぞれ形成される。また、各リール１３Ｌ，１３Ｍ，１３Ｒが回転すると、図柄番号１９番、１８番、…、０番、１９番、…の予め定められた順に複数の図柄がそれぞれ表示窓１１に変動表示される。表示窓１１からは、各リール１３Ｌ，１３Ｍ，１３Ｒの回転が停止すると、図柄が上段、中段および下段にそれぞれ１個の合計３個ずつ覗くように設定されている。すなわち、３個すべてのリール１３Ｌ，１３Ｍ，１３Ｒが停止すると、縦３列横３行に配列された合計９個の図柄が表示窓１１に停止表示されるようになっている。なお、例えば、予め定められたライン（例えば中段ライン）が入賞ラインとして設定されている。
【００１６】
また、各リール１３Ｌ，１３Ｍ，１３Ｒをそれぞれ独立して回転駆動できるように、各リール１３Ｌ，１３Ｍ，１３Ｒには、それぞれステッピングモータにより構成される図３に示すリールモータ１４Ｌ，１４Ｍ，１４Ｒが連結されている。
【００１７】
更に、操作板７には、内部に貯留されているクレジットメダルから１枚ずつのメダル投入を指示するためのベットスイッチ１５、クレジットメダルから１ゲーム（遊技）あたりの最大投入枚数（３枚に設定されている）のメダル投入を指示するための最大ベットスイッチ１７、演出に関与するために操作する演出ボタン４２、各リール１３Ｌ，１３Ｍ，１３Ｒを回転させて各図柄の可変表示を開始させるレバー状のスタートスイッチ１９、左・中・右リール１３Ｌ，１３Ｍ，１３Ｒの回転をそれぞれ停止させて各図柄の可変表示を停止させる左・中・右ストップスイッチ２１Ｌ，２１Ｍ，２１Ｒ、クレジットメダルを払い出すための精算スイッチ２３、およびメダル投入口２５が設けられている。また、各リール１３Ｌ，１３Ｍ，１３Ｒにより複数種類の図柄を可変表示する複数の可変表示列が形成されており、各ストップスイッチ２１Ｌ，２１Ｍ，２１Ｒは、各リール１３Ｌ，１３Ｍ，１３Ｒそれぞれに対応して設けられている。
【００１８】
また、正面板９の上方のほぼ中央には、動画などを表示して遊技者に当選や入賞などを告知したり、各ストップスイッチ２１Ｌ，２１Ｍ，２１Ｒの操作態様を報知したりする演出を行うための液晶表示器２７が設けられている。また、液晶表示器２７のすぐ上方には、各種の入賞図柄が表示された説明パネル２９が設けられ、液晶表示器２７および説明パネル２９の左右には、音楽や音声などによる演出を行うためのスピーカ３１Ｌ，３１Ｒがそれぞれ設けられている。なお、図２に示すように、後述するメダル払出口３９の左右にもスピーカ３１Ｌ，３１Ｒがそれぞれ設けられている。また、説明パネル２９およびスピーカ３１Ｌ，３１Ｒの上辺には中央ランプ部３３Ｍが配設され、その左右には左・右ランプ部３３Ｌ，３３Ｒがそれぞれ配設されている。各ランプ部３３Ｍ，３３Ｌ，３３Ｒには、それぞれ発光ダイオードなどの光源が配設されている。これらのランプ部３３Ｍ，３３Ｌ，３３Ｒは一体的に形成され、遊技者に当選や入賞を告知するなどの演出を行うための上部ランプ部３３を構成している。
【００１９】
また、操作板７の下方には、装飾画などが表示された下部パネル３５が設けられ、この下部パネル３５の左右には、それぞれ複数の光源が例えば２列に並んで配置された下部ランプ部３７Ｌ，３７Ｒが設けられている。また、下部パネル３５の下方には、メダル払出口３９や、このメダル払出口３９から払い出されるメダルを受けるメダル受け４１が設けられている。また、正面板９の右下隅には、３つのリールに対する入賞ラインの位置を示す図形（図示省略）が描かれ、正面板９の左下隅にはクレジットメダルの貯留枚数を表示するクレジット表示器４５、メダルの払出枚数を表示する払出表示器４６が配設されている。このクレジット表示器４５は、例えば２個の７セグメントＬＥＤで構成され、２桁の貯留枚数（最大で５０枚）が表示可能になっている。また、払出表示器４６は、例えば２個の７セグメントディスプレイで構成され、２桁の払出枚数が表示可能になっている。なお、７セグメントディスプレイは、棒状に形成されるとともに、「８」の字状に配列された７つのセグメントと、小数点となる小さな丸い１つのセグメント（ＤＰ）とが組み合わされた計８つのセグメントを有するものであり、各セグメントは発光ダイオードにより構成されている。なお、払出表示器４６は発生したエラーに対応するエラーコードの表示や役抽選の結果など、メイン制御基板６３の制御に関する情報を報知（表示）するための報知用表示器としても用いられることがある。また、払出表示器４６の上方には、有利区間ランプ４７が配設されている。有利区間は、遊技者の操作態様により有利な結果が得られる役が当選したときに操作態様を報知することが許容された区間であり、有利区間ランプ４７の点灯により、有利区間であることが確定する。この実施形態では、有利区間中に必ず有利区間ランプ４７が点灯する訳ではなく、有利区間に移行してから、所定の点灯条件が成立したときに点灯する。ただし、一旦有利区間ランプ４７が点灯した後は、当該有利区間が終了して非有利区間に移行するまでは点灯が維持される。なお、有利区間ランプ４７については、払出表示器４６の小数点となるセグメントＤＰで代用してもよい。遊技者に有利な操作態様を報知しない遊技機については他の用途で用いる場合がある。
【００２０】
また、図２に示すように、各リール１３Ｌ，１３Ｍ，１３Ｒを支持する支持枠体１３が、筐体３内の後壁に固定されている。筐体３内の支持枠体１３の下方には、図２に示すように、メダルをメダル払出口３９に排出するためのホッパーユニット４３が配設されている。また、メダル投入口２５付近の裏面側には、図２に示すように、メダル投入口２５に投入されたメダルが正規のものか否かを選別して正規のメダルのみをホッパーユニット４３に導くメダルセレクタ４８が配設されている。なお、筐体３内部には、メダル通路が設けられており、メダルセレクタ４８において非正規のメダルとして排除されたメダルや、ホッパーユニット４３から払い出されたメダルが、このメダル通路を通過してメダル払出口３９から払い出される。また、ホッパーユニット４３の左側には、図２に示すように、操作ボックス４９が筐体３内の左側壁に固定されている。この操作ボックス４９には、電源のオンオフを切り替える電源スイッチ５０（図３参照）が設けられるとともに、オンとオフとが切り替えられる設定変更開始処理用のキーシリンダからなる変更処理開始スイッチ５６（図３参照）、設定変更時の設定値の切り替えを行うのに用いられるリセットスイッチ５２（図３参照）が設けられている。ただし、変更処理開始スイッチ５６がオンの状態で電源スイッチ５０がオンにされると、リセットスイッチ５２を用いた設定変更処理が開始される。なお、リセットスイッチ５２は、エラーが発生した際のエラーを解除するためのスイッチとしても用いられる。
【００２１】
続いて、スロットマシン１の電気的な構成について図３を参照して説明する。図３はスロットマシンの電気的構成を示すブロック図である。
【００２２】
図３において、投入センサ５３は、筐体３内部のメダル投入口２５近傍であってメダルセレクタ４８部分に設けられ、メダル投入口２５に投入されたメダルを１枚ずつ検出するものである。払出センサ５４は、ホッパーユニット４３の出口に設けられ、メダル払出口３９に払い出されるメダルを１枚ずつ検出するものである。
【００２３】
左・中・右位置センサ５５Ｌ，５５Ｍ，５５Ｒは、左・中・右リール１３Ｌ，１３Ｍ，１３Ｒの回転位置をそれぞれ検出するためのものであり、例えば左・中・右リール１３Ｌ，１３Ｍ，１３Ｒにそれぞれ設けられた突起部を検出するフォトインタラプタからなり、左・中・右リール１３Ｌ，１３Ｍ，１３Ｒが回転すると、一周ごとに突起部を検出してその検出信号をメイン制御基板６３に出力する。この実施形態では、例えば左・中・右位置センサ５５Ｌ，５５Ｍ，５５Ｒが上記突起部を検出したときに、それぞれ図柄番号１９番の図柄が表示窓１１の中段に位置するように構成されている。
【００２４】
ホッパーモータ５７はホッパーユニット４３に配設され、その駆動によりメダルをメダル払出口３９に向けて払い出すものである。
【００２５】
また、このスロットマシン１では、遊技の進行に関する制御を行うメインＣＰＵ６１が実装されたメイン制御基板６３と、メイン制御基板６３に実装されたメインＣＰＵ６１から送信された情報に基づき所定の演出（例えば、遊技の進行に合わせた演出）に関する制御を行うサブＣＰＵ７１が実装されたサブ制御基板７３とが別々に設けられており、メイン制御基板６３からサブ制御基板７３に対して各種の遊技情報が一方向で送信される。なお、メイン制御基板６３は、外部から不正にアクセスすることができないように、基板ケース内に厳重に封印されている。また、基板ケースには、不正に解放されたことを確実に視認することができるように、種々の対策が講じられている。
【００２６】
（メイン制御基板）
次に、メイン制御基板６３について説明する。
【００２７】
メイン制御基板６３に実装されたメインＣＰＵ６１は、ＲＯＭ６７に格納されたプログラムを実行することにより実現される種々の機能や、ハードウェアが制御されることにより実現される種々の機能を備えている。
【００２８】
メインＣＰＵ６１は、当選した当選役グループ（１または複数の役を構成役として有する。）の種類や役の入賞・非入賞等により、スロットマシン１が備える複数の遊技状態のうちいずれか一つの遊技状態にスロットマシン１の遊技を制御する。
【００２９】
また、メインＣＰＵ６１は、電源スイッチ５０、変更処理開始スイッチ５６、リセットスイッチ５２に対する所定の設定変更操作に基づいて、出玉率（獲得メダル数÷投入メダル数×１００［％］）の調整をするための設定（設定１〜設定６）を変更する。
【００３０】
また、メインＣＰＵ６１は、制御した遊技状態の種類、および、設定した設定値（設定１から設定６）に基づき、複数の役抽選テーブルから１つの役抽選テーブルを選択する。この役抽選テーブルには、予め設定された複数の当選役グループそれぞれについて、当選役グループと当該当選役グループが役抽選において当選となる抽選値の範囲とが対応づけて記憶されている。
【００３１】
また、メインＣＰＵ６１は、スタートスイッチ１９が遊技者により操作されると、役抽選用の乱数を所定の範囲内で発生させ、発生させた乱数値を抽選値としてスタートスイッチ１９が操作されたタイミングで抽出する。そして、メインＣＰＵ６１は、選択した役抽選値テーブルと抽出した抽選値とを用いて当選役グループの当選かどうかの決定を行う。
【００３２】
また、メインＣＰＵ６１は、スタートスイッチ１９が遊技者により操作されると、各リール１３Ｌ，１３Ｍ，１３Ｒの回転を開始させ、左・中・右位置センサ５５Ｌ，５５Ｍ，５５Ｒの検出信号と、左・中・右リール１３Ｌ，１３Ｍ，１３Ｒを駆動する各リールモータ１４Ｌ，１４Ｍ，１４Ｒへの供給パルス数とに基づき、左・中・右リール１３Ｌ，１３Ｍ，１３Ｒの回転位置をそれぞれ検出する。メインＣＰＵ６１は、全てのリール１３Ｌ，１３Ｍ，１３Ｒが定速回転となったときに、各ストップスイッチ２１Ｌ，２１Ｍ，２１Ｒの操作を有効操作として受付ける状態となる。この状態で各ストップスイッチ２１Ｌ，２１Ｍ，２１Ｒの操作が遊技者により行われると、メインＣＰＵ６１は、検出した各左・中・右リール１３Ｌ，１３Ｍ，１３Ｒの回転位置と、遊技者による各ストップスイッチ２１Ｌ，２１Ｍ，２１Ｒの操作態様（例えば押し順や操作タイミング）と、役抽選結果とに基づき、予め設定されているすべりコマ数（引き込み可能範囲：通常、最大４コマ）の範囲内で各リール１３Ｌ，１３Ｍ，１３Ｒが停止するように停止制御を行う。
【００３３】
全てのリール１３Ｌ，１３Ｍ，１３Ｒの回転が停止した後、メインＣＰＵ６１は、リール１３Ｌ，１３Ｍ，１３Ｒの入賞ラインの図柄組合せが、役抽選により当選した当選役グループを構成する役に対応する図柄組合せであるかどうかの判定を行い、入賞ラインの図柄組合せが当該役に対応する図柄組合せである場合は、当該役に入賞したと判定し、そうでない場合はハズレと判定する。メインＣＰＵ６１は、役抽選により当選した当選役グループを構成する役に入賞したと判定したときに、それがメダル払い出しのある役の入賞であれば、ホッパーユニット４３を動作させて、入賞した役に対応した払出数だけメダルを払い出すものである。ただし、メインＣＰＵ６１はクレジットメダルの貯留枚数が上限値（この実施形態では例えば５０枚）に達していない場合は、払出数分だけクレジットメダルの枚数を増加させる。
【００３４】
また、メインＣＰＵ６１は、メダルセレクタ４８の動作を制御することにより、メダル受入可と受入不可とを切り替える。
【００３５】
また、メインＣＰＵ６１は、設定値、遊技状態、役抽選結果に関する情報、図柄判定結果に関する情報、各リール１３Ｌ，１３Ｍ，１３Ｒの回転・停止状態、メダルの払出状態、前面扉５の開放または閉塞の状態、スロットマシン１のエラー状態などスロットマシン１の状態を表すデータ、各ストップスイッチ２１Ｌ，２１Ｍ，２１Ｒ、スタートスイッチ１９等の遊技者により操作される操作器具の操作に関する情報などの種々の情報をサブ制御基板７３（サブＣＰＵ７１）に送信するためのコマンドを生成し、生成したコマンドをサブ制御基板７３のサブＣＰＵ７１に送信する。なお、コマンドはメイン制御基板６３からサブ制御基板７３に一方通行で送信される。
【００３６】
（サブ制御基板）
次に、サブ制御基板７３について説明する。サブ制御基板７３は、メイン制御基板６３から送信されたコマンドを受信し、メイン制御基板６３の動作や状態に応じた演出を行うものである。サブ制御基板７３に実装されたサブＣＰＵ７１は、メモリ７５に格納されたプログラムを実行することにより実現される種々の機能や、ハードウェアにより実現される種々の機能を備えている。
【００３７】
サブＣＰＵ７１は、メイン制御基板６３（メインＣＰＵ６１）により送信された種々のデータを含むコマンドを受信する。そして、サブＣＰＵ７１は、受信したコマンドに応じて、演出の内容を決定し、決定した演出の内容に応じて、例えば、液晶表示器２７に動画等の画像を表示する表示制御を行ったり、スピーカ３１Ｌ，３１Ｒからの音声の出力制御を行ったり、上部ランプ部３３や下部ランプ部３７Ｌ，３７Ｒの光源を一斉にあるいは個別に点滅させる制御を行ったり、演出ボタン４２の操作に基づいた演出の制御を行ったりする。
【００３８】
本実施例の基板ユニット６は、メイン制御基板６３を透明な基板ケース１０７に収容してなるものである。図５に示すように、基板ユニット６は、屈曲した金属片からなる一対の取付金具１０９ａ，１０９ｂを備え、筐体３の背面側を覆う背板１３９に取付金具１０９ａ，１０９ｂが螺子１１４で固定され、メイン制御基板６３を収容した基板ケース１０７が取付金具１０９ａ，１０９ｂに取り付けられる。ここで、左側の取付金具１０９ａと基板ケース１０７は、螺子１１４で締結される。一方、右側の取付金具１０９ｂは、基板ケース１０７に差し込んだ状態で、後述するロック部材１１２を貫通孔に挿通することによって、基板ケース１０７に係止される。また、各取付金具１０９ａ，１０９ｂを背板１３９に固定する螺子１１４は、基板ケース１０７によって覆われることとなるため、基板ケース１０７の装着状態では、取付金具１０９ａ，１０９ｂは背板１３９から取り外し不能となる。なお、以下では、図４中の手前側を基板ユニット６、基板ケース１０７、及びメイン制御基板６３の正面側とし、図４中の上下、左右を、基板ユニット６、基板ケース１０７、及びメイン制御基板６３の上下、左右として説明する。
【００３９】
基板ケース１０７は、図６に示すように、背面側が開放された矩形箱状のカバー部材１１０と、正面側が開放された矩形箱状のベース部材１１１とを固定螺子（図示省略）で組み付けてなるものであり、カバー部材１１０とベース部材１１１の組付時に形成される内部空間に、メイン制御基板６３が収容される。具体的には、カバー部材１１０及びベース部材１１１は、正面視において、メイン制御基板６３よりも一回り大きい横長矩形状をなしており、基板ケース１０７の内部空間は、メイン制御基板６３を全て収容可能な直方体形状をなしている。
【００４０】
カバー部材１１０及びベース部材１１１は、透明樹脂からなる成形品であり、カバー部材１１０とベース部材１１１を透して基板ケース１０７の内部を視認できるよう構成されている。図５，６に示すように、カバー部材１１０にはコネクタ開口部１２３が形成されており、基板ケース１０７にメイン制御基板６３を収容した状態では、メイン制御基板６３に実装されたコネクタ１６ａ，１６ｂ，１６ｃがコネクタ開口部１２３から外部に露出し、メイン制御基板６３の、コネクタ１６ａ，１６ｂ，１６ｃを除く部分は、カバー部材１１０及びベース部材１１１によって密閉される。また、メイン制御基板６３にはコネクタ１６ａ，１６ｂ，１６ｃ以外のコネクタが実装されており、対応したコネクタ開口部から外部に露出している。
【００４１】
メイン制御基板６３に対する不正行為を防止するために、基板ケース１０７にメイン制御基板６３を収容した状態で、カバー部材１１０とベース部材１１１は分離困難に係合する。具体的には、右側部の封印構造４０によって両部材１１０，１１１が係合され、さらに、固定螺子（図示省略）によって両部材１１０，１１１が相互に締結される。
【００４２】
封印構造４０は、図６，７に示すように、カバー部材１１０とベース部材１１１の右側壁に形成された貫通孔１２５ａ，１２５ｂに、ロック部材１１２を挿通することにより、両部材１１０，１１１の右側壁を係合させるものである。封印構造４０は、基板ケース１０７の右側部に６組設けられており、任意の封印構造４０によって、カバー部材１１０とベース部材１１１の右側壁を係合可能となっている。ロック部材１１２は、係止ピン１４２を突成してなる不透明な樹脂部材である。ベース部材１１１の右側壁には、ロック部材保持枠１３６が形成されており、ロック部材１１２は、係止ピン１４２を内側に向けて、ロック部材保持枠１３６に保持されている。そして、図７に示すように、かかるロック部材１１２を内側に押し込むと、カバー部材１１０とベース部材１１１の右側壁を係止ピン１４２が貫通し、両部材１１０，１１１の右側壁が係止ピン１４２によって係合されて、当該封印構造４０により基板ケース１０７が封印される。
【００４３】
図７に示すように、封印構造４０によって基板ケース１０７が封印されると、カバー部材１１０又はベース部材１１１に開口部を形成しなければ、基板ケース１０７を開放できない。返しが形成された係止ピン１４２を両部材１１０，１１１の右側壁から抜き取るのは困難であり、基板ケース１０７の内部に切断用工具を挿入して、基板ケース１０７の内部で係止ピン１４２を切断しなければ、カバー部材１１０とベース部材１１１の係合を解除できないためである。このため、本実施例では、カバー部材１１０の、各封印構造４０の正面側部分に、切断用工具挿入用の開口部を容易に形成可能な矩形状の薄肉部１２６が設けられている。
【００４４】
このように、本実施例では、基板ケース１０７は、封印構造４０によって封印されており、基板ケース１０７を開放する際には、ロック部材１１２の係止ピン１４２を切断しなくてはならない。すなわち、本実施例では、基板ケース１０７を開放した際に、係止ピン１４２に開放の痕跡が残ることとなる。このため、本実施例では、係止ピン１４２が切断されているか否かをチェックすることにより、基板ケース１０７が許可なく開放されていないかを確認できる。なお、本実施例に係る封印構造４０は、ロック部材１１２によりカバー部材１１０とベース部材１１１を係合させるものであるが、かかるロック部材１１２に加えて、又はロック部材１１２に替えて、カバー部材１１０とベース部材１１１に跨がるように貼付する封印シールを採用してもよい。
【００４５】
図８（ａ）は基板ユニット６の正面図である。図８（ａ）に示すように、基板ケース１０７には、正面中央部に矩形状の封印情報記録部１５０が配設される。図８（ｂ）は封印情報記録部１５０の拡大図である。図８（ａ）に示すように、封印情報記録部１５０は、封印構造４０による基板ケース１０７の封印に係る情報を記録するためのものである。具体的には、封印情報記録部１５０には、各ロック部材１１２を使用した日付と、使用した担当者とを記入するための封印情報記入欄１５１〜１５４が四箇所設けられている。より具体的には、基板ユニット６の製造現場にて、メイン制御基板６３を基板ケース１０７に収容し、ロック部材１１２を外側から押し込んで基板ケース１０７を封印した時は、その日付と担当者名を、第１の封印情報記入欄１５１にペンやスタンプで記入する。次に、スロットマシン１の製造現場にて、ロック部材１１２を外側から押し込んで、筐体３に固定された取付金具１０９ｂに基板ユニット６を係止した時は、第２の封印情報記入欄１５２に記入をする。そして、スロットマシン１の出荷後に、遊技場にて検査のために基板ケース１０７を開放し、再びロック部材１１２を外側から押し込んで基板ケース１０７を封印した時は、第３の封印情報記入欄１５３に記入する。最後に、基板ユニット６をメーカーに返却するために、基板ユニット６をスロットマシン１から取り外して、再びロック部材１１２を外側から押し込んで基板ケース１０７を封印した時は、第４の封印情報記入欄１５４に記入する。また、封印情報記録部１５０の上部には、識別情報印字部１５５と二次元コード印字部１５６が設けられる。図示は省略しているが、識別情報印字部１５５には、封印に係る情報として、メイン制御基板６３に割り当てられた識別情報（主基板番号）が印字される。また、二次元コード印字部１５６には当該識別情報等を記録する二次元コードが印字される。
【００４６】
また、図８（ａ）に示すように、基板ケース１０７の正面中央部には封印情報記録部１５０の貼付位置を示す凹凸部２００（指示手段）を備えており、凹凸部に封印情報記録部１５０の頂点や辺を合わせて貼付することで、規定の位置からはみ出すことなく封印情報記録部１５０を貼付することができる。
【００４７】
なお、本実施例では指示手段を凹凸部としているが、本発明に係る指示手段は凹凸部に限るものではない。例えば、基板ケース１０７表面を粗面加工しているものや、レーザ加工や印刷等により透過率を変えて見た目で貼付領域を示すものであってもよい。また、本実施例では封印情報記録部１５０の左上頂点を指示手段の頂点と合わせることで貼付位置を規定するものであるが、別の頂点を合わせて貼付位置を規定したり、隣り合う二辺を合わせて貼付位置を規定したりするものであってもよい。
【００４８】
封印情報記録部１５０は、片面に接着剤が塗布された透明な樹脂フィルムの上に印刷形成されて、図８（ａ）に示すように、基板ケース１０７の正面中央部に貼付される。ここで、図８（ｂ）に示すように、封印情報記録部１５０の封印情報記入欄１５１〜１５４や、識別情報印字部１５５、二次元コード印字部１５６には、各情報を記入・印字し易いように、白色インキによる不透明な下地印刷（塗りつぶし領域）が施されている。また、封印情報記録部１５０には、「主基板番号」、「かしめ使用記録」、「用途」、「年月日」などの説明文字１５８や枠線１５７も印刷されるが、これらも、同じ白色インキによって不透明な線や文字で印刷される。すなわち、本実施例の封印情報記録部１５０は、封印情報記入欄１５１〜１５４、識別情報印字部１５５、二次元コード印字部１５６、枠線１５７、および説明文字１５８が不透明部となっており、その他の部位は透明となっている。特に、封印情報記入欄１５１〜１５４、識別情報印字部１５５、二次元コード印字部１５６については、前述したように、各情報を記入・印字するため、ある程度の領域にわたって下地用の連続した塗りつぶし領域を備えている。具体的には、封印情報記入欄１５１〜１５４、識別情報印字部１５５、二次元コード印字部１５６は、後述する第四型のＩＣチップ１６４や第五型のＩＣチップ１６５に印字される文字情報１７０ｄ，１７０ｅの表示領域１８０，１９０における１文字分の領域１８０ａ，１９０ａよりも広い領域が連続して不透明となっている。対して、説明文字１５８や枠線１５７については、文字や細い線が印刷されるため、連続した塗りつぶし領域ではなく、各印刷部の間に透明な領域を備えたものとなっており、１文字分の領域１８０ａ，１９０ａよりも広い領域が連続して不透明となっていない。
【００４９】
なお、封印情報記録部１５０における透明および不透明は、完全に透明（透過度１００％）、完全に不透明（透過度０％）に限るものではなく、基板ケース１０７および封印情報記録部１５０を透して基板内部が視認できる程度の透過度のものを透明とし、基板ケース１０７および封印情報記録部１５０を透して基板内部が視認できない程度の透過度のものを不透明としている。
【００５０】
図９は、メイン制御基板６３の正面図である。基板ユニット６を構成するメイン制御基板６３は、スロットマシン１の遊技の進行を統括的に制御するメイン制御基板である。メイン制御基板６３のプリント基板１１５は横長矩形状をなしており、その四隅には、プリント基板１１５を基板ケース１０７に固定するためのネジ貫通孔２２が形成される。メイン制御基板６３は、正面側が電子部品を実装する実装面となっており、プリント基板１１５の正面側には、各種の電子部品１６１〜１６７が配設される。詳述すると、プリント基板１１５の正面側には、形態の異なる６つの型番のＩＣチップ１６１〜１６６が配設される。第一型のＩＣチップ１６１はマイクロコンピュータを構成し、第二型のＩＣチップ１６２はトランジスタアレイであってスイッチング素子を構成し、第三型のＩＣチップ１６３はレギュレータを構成し、第四型のＩＣチップ１６４と第五型のＩＣチップ１６５はバッファ（シュミットトリガバッファ）を構成し、第六型のＩＣチップ１６６は否定回路を構成するものである。これらのうち、第一型のＩＣチップ１６１は、プリント基板１１５に実装されたソケット１１７に装着され、その他のＩＣチップ１６２〜１６６は、プリント基板１１５にはんだ付けされる。第一型のＩＣチップ１６１と第二型のＩＣチップ１６２と第三型のＩＣチップ１６３と第六型のＩＣチップ１６６は、プリント基板１１５に１個ずつ配設されるが、その他の型番のＩＣチップ１６４，１６５は複数個ずつ配設される。具体的には、第四型のＩＣチップ１６４（１６４ａ〜１６４ｄ）と第五型のＩＣチップ１６５（１６５ａ〜１６５ｄ）は４個ずつ配設される。ここで、複数個ずつ配設される型番のＩＣチップ１６４，１６５は、同型のものが縦一列に並ぶように配置されている。なお、図９に示すように、各ＩＣチップ１６１〜１６６には、型番を示す文字情報１７０ａ〜１７０ｆが夫々印字される。具体的には、６種類の型番のＩＣチップ１６１〜１６６には、夫々の型番「ＩＣＡ００１」、「ＩＣＢ００２」、「ＩＣＣ００３」、「ＩＣＤ００４」、「ＩＣＥ００５」、「ＡＢＣ」（図１０（ａ）参照）が、上面側（メイン制御基板６３の正面側）に印字される。
【００５１】
また、図９に示すように、プリント基板１１５におけるＩＣチップ１６１〜１６６の配設位置近傍には、白インキにより各々異なる部品番号が印刷されている。例えば、ＩＣチップ１６１の配設位置近傍には「ＩＣ１」が印刷され、ＩＣチップ１６２の配設位置近傍には「ＩＣ２」が印刷され、ＩＣチップ１６３の配設位置近傍には「ＩＣ３」が印刷され、ＩＣチップ１６４（１６４ａ〜１６４ｄ）の配設位置近傍には「ＩＣ４」〜「ＩＣ７」が順番に印刷され、ＩＣチップ１６５（１６５ａ〜１６５ｄ）の配設位置近傍には「ＩＣ８」〜「ＩＣ１１」が順番に印刷され、ＩＣチップ１６６の配設位置近傍には「ＩＣ１２」が印刷されている。この部品番号により、電子部品の型番を確認せずともどの位置にどの電子部品が配設されているべきか、設計者や技術者であれば容易に把握することはできる。
【００５２】
また、図９に示すように、プリント基板１１５の左上部には、各種スイッチの作動状態をチェックするためのＬＥＤアレイ１６７が配設される。また、プリント基板１１５の下部中央には、コネクタ１６ａ，１６ｂ，１６ｃが実装される。なお、以上に図示して説明した電子部品１６１〜１６７は、プリント基板１１５に配設されたものの一部であり、図示は省略しているが、プリント基板１１５の正面側には、その他の電子部品（コンデンサや抵抗、ダイオードなど）が複数実装される。また、図９等では図示を省略しているが、プリント基板１１５の表裏には、銅箔からなる配線パターンが視認可能な状態で形成されている。
【００５３】
次に、本発明の要部に係る構成について説明する。
図８等では図示を省略しているが、上述のように、基板ケース１０７の正面側を構成するカバー部材１１０は透明樹脂からなる成形品であるため、本実施例で基板ユニット６は、正面側からカバー部材１１０を透して、内部のメイン制御基板６３を視認可能となっている。しかしながら、カバー部材１１０の正面中央部に配設される封印情報記録部１５０は、上述のように不透明部の塗りつぶし領域１５１〜１５６を有しているため、不透明部の塗りつぶし領域１５１〜１５６と前後に重なる部分については、メイン制御基板６３を正面側から視認困難となっている。本実施例では、このようにメイン制御基板６３の一部が正面側から視認困難となっていても、電子部品１６１〜１６７を把握し易いように、プリント基板１１５に電子部品１６１〜１６７が配置される。以下、具体的に説明する。
【００５４】
図１０（ａ）は、メイン制御基板６３の正面中央部の拡大図であり、図１０（ｂ）は、メイン制御基板６３を基板ケース１０７に収容した状態（封印情報記録部１５０を貼付した状態）で、図１０（ａ）と同じ部位を基板ユニット６の正面側から見た図である。図１０（ｂ）に示されるように、本実施例では、基板ユニット６を正面側から視認した時に、６個のＩＣチップ１６４，１６５が、封印情報記録部１５０の不透明部１５１〜１５８と重なることとなり、そのうち３個のＩＣチップ１６４，１６５が封印情報記録部１５０の不透明部１５１〜１５６により視認困難となる。具体的には、中央部に縦一列に配設された第四型のＩＣチップ１６４ａ〜１６４ｄのうち、ＩＣチップ１６４ｂの文字情報１７０ｄの表示領域１８０における１文字分の表示領域１８０ａが封印情報記録部１５０の塗りつぶし領域１５５，１５６より小さく、正面側から視認した時に、封印情報記録部１５０の塗りつぶし領域１５５，１５６と部分的に重なる位置に配置されているため、文字情報１７０ｄの一部が、塗りつぶし領域１５５，１５６に隠れて視認困難となっている。例えば、上から２番目の第四型のＩＣチップ１６４ｂの文字情報１７０ｄは、「ＩＣＤ００４」の「ＩＣ」が二次元コード印字部１５６の裏側に隠れ、残りの「Ｄ００４」のうち、「００４」は、識別情報印字部１５５裏側に隠れて視認困難となっている。
【００５５】
また、第四型のＩＣチップ１６４ａ〜１６４ｄの右側に縦一列に配設された第五型のＩＣチップ１６５ａ〜１６５ｄについても、ＩＣチップ１６５ｂ，１６５ｄの文字情報１７０ｅの表示領域１９０における１文字分の表示領域１９０ａが封印情報記録部１５０の塗りつぶし領域１５１，１５３より小さく、正面側から視認した時に、封印情報記録部１５０の塗りつぶし領域１５１，１５３と部分的に重なる位置に配置されているため、文字情報１７０ｅの一部が、封印情報記録部１５０の塗りつぶし領域１５１，１５３に隠れて視認困難となっている。例えば、上から２番目の第五型のＩＣチップ１６５ｂの文字情報１７０ｅは、「ＩＣＥ００５」の「Ｅ００５」が第１の封印情報記入欄１５１の裏側に隠れ、上から４番目の第五型のＩＣチップ１６５ｂの文字情報１７０ｅは全て第３の封印情報記入欄１５３の裏側に隠れて視認困難となっている。
【００５６】
ここで、第五型のＩＣチップ１６５ｃについては、文字情報１７０ｅのうち、「Ｅ００５」の部分が不透明部の説明文字１５８の裏側に隠れているものの、説明文字１５８は文字情報１７０ｅの表示領域１９０における１文字分の表示領域１９０ａよりも広い領域で連続して不透明ではなく、部分的に透明な領域がある。そのため、文字情報１７０ｅの視認は塗りつぶし領域の裏側に隠れた文字情報を見るよりも比較的容易に視認できる。特にメイン制御基板６３を設置した状態で文字情報を確認する際には、光を当てて文字情報を確認するが、塗りつぶし領域の裏側に隠れた文字情報には光が届かないため視認が難しいのに対し、説明文字１５８や枠線１５７の裏側に隠れた文字情報は、光の照射方向を変えることで文字情報に光が届くため、容易に視認することができる。なお、文字情報の表示領域における１文字分の表示領域とは、ＩＣのパッケージに刻印または印刷されている文字情報の各文字よりも僅かに大きく、文字情報の各文字を囲む矩形の領域であり、図１０（ａ）に示すように「ＩＣＤ００４」や「ＩＣＥ００５」のそれぞれの文字情報に対応した領域（例えば「４」に対応した領域１８０ａ）である。
【００５７】
また、図１０（ｂ）に示すように、第四型のＩＣチップ１６４ａ〜１６４ｄの右側には「ＩＣ４」〜「ＩＣ７」という部品番号が印刷されているが、このうち「ＩＣ５」という部品番号は正面側から視認した時に、封印情報記録部１５０の塗りつぶし領域１５５と全体が重なる位置に配置されているため、ここにどの部品が配置されるべきかを視認により確認することは困難である。しかし、「ＩＣ５」と連続する部品番号である「ＩＣ４」や「ＩＣ６」が封印情報記録部１５０の塗りつぶし領域１５１〜１５６と重なる領域には印刷されておらず、「ＩＣ４」〜「ＩＣ６」が縦一列に印刷されているため、この視認困難な部品番号が「ＩＣ５」であると容易に推察できる。
【００５８】
同様に、第五型のＩＣチップ１６５ａ〜１６５ｄの左側には「ＩＣ８」〜「ＩＣ１１」という部品番号が印刷されているが、このうち「ＩＣ１１」という部品番号は正面側から視認した時に、封印情報記録部１５０の塗りつぶし領域１５４と全体が重なる位置に配置されているため、ここにどの部品が配置されるべきかを視認により確認することは困難である。しかし、「ＩＣ１１」と連続する部品番号である「ＩＣ８」〜「ＩＣ１０」が封印情報記録部１５０の塗りつぶし領域１５１〜１５６と重なる領域には印刷されておらず、「ＩＣ８」〜「ＩＣ１１」が縦一列に印刷されているため、この視認困難な部品番号が「ＩＣ１１」であると容易に推察できる。
【００５９】
このように、正面側から視認した時に、封印情報記録部１５０の塗りつぶし領域１５１〜１５６と重なる位置に配設されたＩＣチップ１６４ｂ，１６５ｂ，１６５ｄについては、型番を示す文字情報１７０ｄ，１７０ｅが視認困難となっている。しかしながら、本実施例では、これらのＩＣチップ１６４ｂ，１６５ｂ，１６５ｄと同じ型番のＩＣチップ１６４ａ，１６５ａが、正面側から視認した時に、封印情報記録部１５０の不透明部１５１〜１５８と重ならない位置にも配設されているため、文字情報１７０ｄ，１７０ｅを視認困難なＩＣチップ１６４ｂ，１６５ｂ，１６５ｄの型番を推定できる。
【００６０】
具体的には、図１０（ｂ）に示すように、第四型のＩＣチップ１６４ａ〜１６４ｄについては、一番上のＩＣチップ１６４ａが、封印情報記録部１５０の不透明部１５１〜１５８と全く重ならない位置に配置され、文字情報１７０ｄを正面側から視認容易となっている。また、第五型のＩＣチップ１６５ａ〜１６５ｄについても、一番上のＩＣチップ１６５ａが、封印情報記録部１５０の不透明部１５１〜１５８と全く重ならない位置に配置され、文字情報１７０ｅを正面側から視認容易となっている。一方、文字情報１７０ｄ，１７０ｅを視認容易でないＩＣチップ１６４ｃ，１６４ｄ，１６５ｃと視認困難なＩＣチップ１６４ｂ，１６５ｂ，１６５ｄは、封印情報記録部１５０の不透明部１５１〜１５８や塗りつぶし領域１５１〜１５６と部分的に重なってはいるが、全体が隠れているわけでなく、パッケージやピンの形態をある程度視認可能であるため、型番を読み取れなくても、形態の特徴を周囲のＩＣチップ１６１〜１６５と対比して、同じ特徴のものを探すことで、文字情報１７０ｄ，１７０ｅを視認容易な位置に配設された、同型のＩＣチップ１６４ａ，１６５ａを見つけることができる。また、視認困難な部品の部品番号は、視認できる部品番号と連続する部品番号であったり、飛び石の部品番号であったりすることから、視認困難な部品番号が視認できる部品番号と同型の電子部品であることが推定できる。このため、本実施例では、文字情報１７０ｄを視認容易でない第四型のＩＣチップ１６４ｃ，１６４ｄと視認困難な第四型のＩＣチップ１６４ｂについては、視認可能な形態の特徴に基づいて、文字情報１７０ｄを視認容易な位置にある同じ型番のＩＣチップ１６４ａを見つけて、その上面に印字された文字情報１７０ｄを参照することにより、それらの型番を推定できる。同様に、文字情報１７０ｅを視認容易でない第五型のＩＣチップ１６５ｃと視認困難な第五型のＩＣチップ１６５ｂ，１６５ｄについても、視認可能な形態の特徴に基づいて、文字情報１７０ｅを視認容易な位置にある同じ型番のＩＣチップ１６５ａを見つけて、その上面に印字された文字情報１７０ｅを参照することにより、それらの型番を推定できる。
【００６１】
ここで、視認容易でない第四型のＩＣチップ１６４ｃ，１６４ｄと視認容易でない第五型のＩＣチップ１６５ｃについては、前述した通り文字情報１７０ｄ，１７０ｅの一部が説明文字１５８や枠線１５７の裏側に隠れているものの、文字情報１７０ｅの表示領域１９０における１文字分の表示領域１９０ａよりも広い領域で連続して不透明ではなく、部分的に透明な領域があるため、文字情報１７０ｄ，１７０ｅの視認はＩＣチップ１６４ａ，１６５ａよりも容易ではないが、塗りつぶし領域の裏側に隠れた文字情報を見るよりも比較的容易に視認できる。
【００６２】
また、図１０（ｂ）に示すように、不透明部と重なる位置であっても、説明文字１５８や枠線１５７等、文字情報の表示領域における１文字分の表示領域よりも広い領域で連続して不透明ではない領域に第六型のＩＣチップ１６６を配設している。これについては前述したように、封印情報記録部１５０の説明文字１５８や枠線１５７と重なっている文字情報の視認は比較的容易であるため、第四型のＩＣチップ１６４ａ〜１６４ｄや第五型のＩＣチップ１６５ａ〜１６５ｄのように、型番を推定するために視認容易な位置にある同じ型番のＩＣチップ１６４ａ、１６５ａを配設することなく第六型のＩＣチップ１６６を配設することができるためである。このように、封印情報記録部の枠線等、細い不透明部については少し見る角度を変えたり、文字情報を見るための光の照射角度を変えたりすることで容易に確認できるため、配設部品を封印情報記録部の貼付領域外に配設している部品に限定することなく、部品を配設することができ、設計自由度を増すことができる。
【００６３】
このように、本実施例では、封印情報記録部１５０の塗りつぶし領域１５１〜１５６によって、一部のＩＣチップ１６４ｂ，１６５ｂ，１６５ｄの文字情報１７０ｄ，１７０ｅが視認困難となっていても、形態の同一性を手がかりにして、文字情報１７０ｄ，１７０ｅを視認容易な同型のＩＣチップ１６４ａ，１６５ａを探すことにより、それらの型番を推定することができる。このため、本実施例では、封印情報記録部１５０と重なる位置にＩＣチップ１６４ａ〜１６４ｄ，１６５ａ〜１６５ｄを配設しつつ、封印情報記録部１５０の塗りつぶし領域１５１〜１５６によって型番を把握困難なＩＣチップ１６４ｂ，１６５ｂ，１６５ｄを従来構成よりも低減できるという利点がある。特に、本実施例では、正面視において、封印情報記録部１５０の塗りつぶし領域１５１〜１５６と文字情報１７０ｄ，１７０ｅが重なる全てのＩＣチップ１６４ｂ，１６５ｂ，１６５ｄに対して、封印情報記録部１５０の塗りつぶし領域１５１〜１５６と文字情報１７０ｄ，１７０ｅが重ならない位置に同型のＩＣチップ１６４ａ，１６５ａが配設されているため、封印情報記録部１５０の塗りつぶし領域１５１〜１５６によって文字情報１７０ｄ，１７０ｅを視認困難となる全てのＩＣチップ１６４ａ〜１６４ｄ，１６５ａ〜１６５ｄの型番を把握できるという利点がある。
【００６４】
特に、本実施例では、文字情報１７０ｄ，１７０ｅが視認困難となっているＩＣチップ１６４ｂ，１６５ｂ，１６５ｄの中でも、上部に配置された２つのＩＣチップ１６４ｂ，１６５ｂについては、図９に示すように、文字情報１７０ｄを視認容易な同型のＩＣチップ１６４ａ，１６５ａと上下に隣り合うように配置されているため、文字情報１７０ｄ，１７０ｅを視認容易な同型のＩＣチップ１６４ａ，１６５ａを容易に発見でき、また、上下に隣り合う配置関係から、両者が同一の型番であると強く推定できるという利点がある。
【００６５】
また、図１０（ｂ）に示すように、基板ケース１０７の凹凸部２００は貼付領域を規定することで封印情報記録部１５０の塗りつぶし領域１５１〜１５６が決まった位置から上下左右にずれることで想定していた部分以外を視認困難とすることを防ぐことができる。
【００６６】
また、図１０（ｂ）に示すように、また、基板ケース１０７の凹凸部２００とは、ＩＣチップ１６４ａ，１６５ａの文字情報１７０ｄ，１７０ｅは正面視で重ならないようになっている。これは、凹凸部２００は作業者の目につきやすいように粗面加工をしたり、基板ケースの厚さを変えたりしているため、透過率が低くなっている。そのため、ＩＣチップ１６４ａ，１６５ａの文字情報１７０ｄ，１７０ｅと凹凸部２００とが正面視で重なることで、封印情報記録部１５０の塗りつぶし領域１５１〜１５６に隠れた文字情報１７０ｄ，１７０ｅの推定に阻害する要因となってしまうことを防ぐためである。
【００６７】
また、本実施例では、図１１（ａ）に示すように、文字情報１７０ｄ，１７０ｅを視認容易なＩＣチップ１６４ａ，１６５ａと、これらと隣り合うように配設された、文字情報１７０ｄ，１７０ｅを視認困難な同型のＩＣチップ１６４ｂ，１６５ｂとがプリント基板１１５上の配線１７２で相互接続されており、図１１（ｂ）に示すように、基板ユニット６の正面側から当該配線１７２を視認可能となっている。このため、本実施例では、正面側から視認した時に、上下に隣り合うＩＣチップ１６４ａ，１６４ｂ，１６５ａ，１６５ｂの相互接続関係によって、両者が同型であると推定し易いという利点がある。特に、上記ＩＣチップ１６４ａ，１６４ｂ，１６５ａ，１６５ｂの間を相互接続する配線１７２は、図１０（ｂ）に示すように、正面側から視認した時に、一方のＩＣチップ１６４ａ，１６５ａと他方のＩＣチップ１６４ｂ，１６５ｂの相互に対向する２つの側縁を結ぶように視認されるため、両者が同型であると一層推定し易くなっている。
【００６８】
以上に、本発明の実施例を説明したが、本発明は、上記実施例の形態に限らず本発明の要旨を逸脱しない範囲内において種々変更を加えることができる。例えば、上記実施例は、スロットマシンのメイン制御基板に係る基板ユニットであるが、本発明は、スロットマシンの他の制御基板（サブ制御基板や画像制御基板等）に係る基板ユニットであってもよいし、他の遊技機（パチンコ機等）に係る基板ユニットであってもよい。
【００６９】
また、上記実施例では、正面視において封印情報記録部１５０の塗りつぶし領域１５１〜１５６と文字情報１７０ｄ，１７０ｅが重なる位置に配置された全てのＩＣチップ１６４ｂ，１６５ｂ，１６５ｄに対して、文字情報１７０ｄ，１７０ｅの視認性が阻害されない位置に同じ型番のＩＣチップ１６４ａ，１６５ａが配設されている。しかしながら、本発明は、不透明部と文字情報が重なる位置に配置された一部のＩＣチップに対してのみ、不透明部に文字情報の視認性を阻害されない同型のＩＣチップが配設されたものであってもよい。
【００７０】
また、上記実施例では、メイン制御基板６３に１個ずつ配設される第一型のＩＣチップ１６１及び第三型のＩＣチップ１６３は、封印情報記録部１５０と重ならない位置に配設されている。このように、１個ずつ配設される型番の電子部品については、文字情報１７０ａ，１７０ｃを視認容易となるように、封印情報記録部１５０の不透明部１５１〜１５６と全く重ならない位置、より好ましくは封印情報記録部１５０と全く重ならない位置に配設されることが好ましい。ただし、本発明は、同型のものがメイン制御基板６３上に存在しないＩＣチップ７０ａ，７０ｃが、封印情報記録部１５０の塗りつぶし領域１５１〜１５６と文字情報１７０ａ，１７０ｃが重なる位置に配設されたものを除外するものではない。かかる構成とした場合でも、制御基板に配設されたＩＣチップの型番等を、従来構成に比べて容易に把握可能となるためである。なお、マイクロコンピュータやレギュレータの他に、メイン制御基板６３に１個だけ配設され得る電子部品としては、発信回路を構成するＩＣチップなどが挙げられる。
【００７１】
また、図１１（ａ）に示すように、上記実施例では、本発明に係る第１のＩＣチップ１６４ｂ，１６５ｂと第２のＩＣチップ１６４ａ，１６５ａは、相互に対向する２つの側縁に設けられた全ての端子が、プリント基板１１５上の配線１７２によって相互接続されているが、かかる配線１７２は、一方のＩＣチップ１６４ｂ，１６５ｂの少なくとも１つの端子と、他方のＩＣチップ１６４ａ，１６５ａの少なくとも１つの端子を相互接続するものであってもよい。
【００７２】
また、図１１（ａ）に示すように、上記実施例では、本発明に係る第１のＩＣチップ１６４ｂ，１６５ｂと第２のＩＣチップ１６４ａ，１６５ａの、相互に対向する側縁を結ぶ配線１７２は、両側縁を最短距離で直線状に結んでいるが、かかる配線１７２は、屈曲したものであっても構わない。また、上記実施例では、本発明に係る第１のＩＣチップ１６４ｂ，１６５ｂと第２のＩＣチップ１６４ａ，１６５ａの、相互に対向する側縁を結ぶ配線１７２は、両側縁に配設された端子同士を接続しているが、かかる配線１７２は、両側縁に配線された端子の脇を通って、ＩＣチップの下を通り抜けるものであっても構わない。
【００７３】
また、上記実施例では、文字情報１７０ｄ，１７０ｅを視認困難なＩＣチップ１６４ｂ〜１６４ｄ，１６５ｂ〜１６５ｄに対して、文字情報１７０ｄ，１７０ｅを視認容易な同型のＩＣチップ１６４ａ，１６５ａが封印情報記録部１５０の不透明部１５１〜１５８と重ならない位置に配設されているが、本発明に係る第２のＩＣチップは、少なくとも文字情報が封印情報記録部の不透明部と重ならない位置に配置されていればよく、文字情報以外の部分が不透明部や塗りつぶし領域と重なる位置に配置されていてもよい。
【００７４】
また、上記実施例では、ＩＣチップ１６１〜１６５に印字される文字情報１７０ａ〜１７０ｅは、夫々の型番を示しているが、本発明に係る文字情報は、型番を示すものに限らず、電子部品の機能や特性を直接又は間接的に特定可能なものであればよい。例えば、本発明に係る文字情報は、型番に加えて、又は型番に替えて、電子部品の規格を示すものであってもよい。
【００７５】
また、上記実施例では、封印情報記録部１５０は矩形状をなしているが、本発明に係る封印情報記録部は、矩形状以外の形状であってもよい。また、上記実施例の封印情報記録部１５０は、樹脂フィルム上に印刷したものを基板ケース１０７（カバー部材１１０）に貼付しているが、本発明に係る封印情報記録部は、基板ケース１０７に直接印刷されたものであってもよい。
【００７６】
また、上記実施例では、図１１（ａ）に示すように、上下に隣り合うように配設されたＩＣチップ１６４ａ，１６４ｂの間には、配線１７２だけが設けられているが、本発明に係る第１のＩＣチップと第２のＩＣチップの間には、ＩＣチップ以外の比較的小型の電子部品（抵抗やダイオード等）が配設されていてもよい。
【００７７】
また、上記実施例では、メイン制御基板６３は片側（正面側）が実装面となっていたが、本発明に係る制御基板は両面が実装面であるものを含む。
【符号の説明】
【００７８】
６      遊技機用基板ユニット
６３    制御基板
１０７  基板ケース
１５０  封印情報記録部
１５１〜１５４  封印情報記入欄（不透明部、塗りつぶし領域）
１５５  識別情報印字部（不透明部、塗りつぶし領域）
１５６  二次元コード印字部（不透明部、塗りつぶし領域）
１５７  枠線（不透明部）
１５８  説明文字（不透明部）
１６１〜１６５  ＩＣチップ
１７０ａ〜１７０ｆ  文字情報
【要約】
【課題】制御基板に配設された電子部品の型番や規格等を従来構成に比べて把握容易な遊技機用基板ユニットを提供する。
【解決手段】基板ケース１０７の、メイン制御基板６３の実装面側に、封印に係る情報を記録するための封印情報記録部１５０が配設された遊技機用基板ユニット６にあって、メイン制御基板６３の実装面に、文字情報１７０ｄが上面に表示された第１の型番のＩＣチップ１６４ａ，１６４ｂと、文字情報１７０ｅが上面に表示された第２の型番のＩＣチップ１６５ａ，１６５ｂが配設され、メイン制御基板６３の実装面側から視認した時に、第１の型番のＩＣチップ１６４ｂと第２の型番のＩＣチップ１６５ｂは、封印情報記録部１５０の塗りつぶし領域１５１〜１５６と部分的に重なって文字情報１７０ｄが不透明部１５１〜１５６に隠れ、第１の型番のＩＣチップ１６４ａと第２の型番のＩＣチップ１６５ａは、文字情報１７０ｄが不透明部１５１〜１５８と重ならないように配置する。
【選択図】図１０【図１】
0006919947.tif 000002
【図２】
0006919947.tif 000003
【図３】
0006919947.tif 000004
【図４】
0006919947.tif 000005
【図５】
0006919947.tif 000006
【図６】
0006919947.tif 000007
【図７】
0006919947.tif 000008
【図８】
0006919947.tif 000009
【図９】
0006919947.tif 000010
【図１０】
0006919947.tif 000011
【図１１】
0006919947.tif 000012